(57)【要約】 【課題】  ロックフィーリングの向上を図る。【解決手段】  雌ハウジング３０のロックアーム３１には係合部３４が側方へ張り出し形成され、ロックアーム３１の上面にはロック突部３２が突設されている。雄ハウジング１０には係合部３４と対応する位置に強制変位部２１が形成されている。両ハウジング１０，３０の嵌合過程では、ロックアーム３１が弾性的に傾動するとともに、その傾動しているロックアーム３１の係合部３４に対して強制変位部２１が係合することにより、ロックアーム３１がロック突部３２の突出高さよりも大きな変位量でさらに強制的に傾動する。両ハウジング１０，３０が正規嵌合されたときには、強制変位部２１からの係合部３４の解離によってロックアーム３１が弾性復帰して雄ハウジング１０側に当接し、これによって大きなロック音を発する。【選択図】  図４
2006269198.tif 000002
【特許請求の範囲】
【請求項１】
互いに嵌合可能な雌雄の両ハウジングを備え、このうちの一方のハウジングには傾動可能でかつ撓み変形可能なロックアームが設けられ、このロックアームには、係合部が形成されているとともに前記他方のハウジングに形成されたロック受け部に弾性係止可能なロック突部が突設されており、さらに、前記他方のハウジングには前記係合部と係合可能な強制変位部が形成され、
前記両ハウジングの嵌合過程では、前記ロックアームが弾性的に傾動するとともに、その傾動しているロックアームの前記係合部に対して前記強制変位部が係合することにより、前記ロックアームが前記ロック突部の突出高さよりも大きな変位量でさらに強制的に傾動し、
前記両ハウジングが正規嵌合されたときには、前記強制変位部からの前記係合部の解離によって前記ロックアームが弾性復帰して前記他方のハウジング側に当接するとともに、前記ロック突部が前記ロック受け部に係止することにより、前記両ハウジングの離脱が規制される構成としたことを特徴とするコネクタ。
【請求項２】
前記他方のハウジングにはフード部が設けられ、このフード部内に前記一方のハウジングとともに前記ロックアームが進入可能とされ、前記ロック受け部は前記フード部の内側面に臨むとともに、前記強制変位部は前記フード部内に配置されており、前記両ハウジングの嵌合に伴って前記強制変位部と前記係合部とが係合することにより、前記ロック突部の突出端が前記フード部の内側面から離間する構成としたことを特徴とする請求項１に記載のコネクタ。
【請求項３】
前記ロックアームは、脚部とこの脚部に連なって前記両ハウジングの嵌合時における前記一方のハウジングの接近方向とほぼ同じ方向へ延出するアーム部とを備え、このアーム部が前記両ハウジングの嵌合途中で前記脚部を支点として傾動可能とされ、かつ、前記ロックアームには、前記脚部を挟んで前記アーム部と反対側の端部に、解除操作部が形成され、この解除操作部を押圧操作することでロック状態にあるロックアームをロック解除方向へ撓み変形させることが可能とされており、さらに、
前記解除操作部を押圧操作しながら前記両ハウジングを嵌合しようとした場合には、前記アーム部の延出端が持ち上がって前記他方のハウジング側に干渉することにより、その嵌合動作が阻止される構成としたことを特徴とする請求項１または請求項２に記載のコネクタ。
【請求項４】
前記解除操作部を押圧操作して前記ロックアームを前記ロック突部の突出高さに相当する分だけ変位させれば、前記両ハウジングを互いに引き離すことが可能とされることを特徴とする請求項３に記載のコネクタ。
【請求項５】
前記一方のハウジングには、前記解除操作部を覆って保護部が架設されており、前記係合部が前記強制変位部と係合したときに、前記解除操作部が前記保護部と係合し、両係合位置を支点として前記ロックアームが反り変形し得る構成としたことを特徴とする請求項３または請求項４に記載のコネクタ。
【請求項６】
前記係合部は、前記ロックアームの幅方向両端側に一対張り出し形成されており、前記強制変位部は、前記係合部と対応する位置に一対形成されていることを特徴とする請求項１ないし請求項５のいずれかに記載のコネクタ。
【発明の詳細な説明】
【技術分野】
【０００１】
本発明は、コネクタに関する。
【背景技術】
【０００２】
コネクタは互いに嵌合可能な雌雄の両ハウジングを備える。このうち一方のハウジングには、その上面前端から後方へ向けてロックアームが延出して形成されている。ロックアームは、その上面にロック突部が形成され、このロック突部が他方のハウジングに形成されたロック受け部に弾性的に係合して、両ハウジングの離脱を規制している。また、ロックアームの後端部にはロックを解除するための解除操作部が形成され、両ハウジングを離脱する際には、この解除操作部を押圧操作してロックアームの後端を引き下げ、その状態から両ハウジングを互いに引き離すようにしている。なお、この種のコネクタは特許文献１に記載されている。
【特許文献１】特開２００２−１２４３５５公報
【発明の開示】
【発明が解決しようとする課題】
【０００３】
ところで、両ハウジングが正規嵌合されると、撓み変形していたロックアームが弾性復帰して他方のハウジング側の壁面に当接するが、このとき、「パチン」という打撃音（以下、ロック音と称する）を発することをもってロックアームによるロックが掛かったことを認識している。これは、ロックフィーリングと称され、両ハウジングが正規嵌合されたか否かを知るうえでの重要な要素となり得るものである。
【０００４】
しかし、作業者がロックアームの解除操作部を押え付けながら両ハウジングを嵌合した場合には、両ハウジングが正規嵌合位置に達しても、ロック音が鳴らないことがある。また、上記したロックアームは、ロック突部の突出高さに相当する変位量で撓み変形するに過ぎないため、復元したときに小さなロック音しか鳴らないこともある。
【０００５】
本発明は上記のような事情に基づいて完成されたものであって、両ハウジングが正規嵌合されたときに、大きなロック音が確実に鳴るようにしてロックフィーリングの向上を図ることを目的とする。
【課題を解決するための手段】
【０００６】
上記の目的を達成するための手段として、請求項１の発明は、互いに嵌合可能な雌雄の両ハウジングを備え、このうちの一方のハウジングには傾動可能でかつ撓み変形可能なロックアームが設けられ、このロックアームには、係合部が形成されているとともに前記他方のハウジングに形成されたロック受け部に弾性係止可能なロック突部が突設されており、さらに、前記他方のハウジングには前記係合部と係合可能な強制変位部が形成され、前記両ハウジングの嵌合過程では、前記ロックアームが弾性的に傾動するとともに、その傾動しているロックアームの前記係合部に対して前記強制変位部が係合することにより、前記ロックアームが前記ロック突部の突出高さよりも大きな変位量でさらに強制的に傾動し、前記両ハウジングが正規嵌合されたときには、前記強制変位部からの前記係合部の解離によって前記ロックアームが弾性復帰して前記他方のハウジング側に当接するとともに、前記ロック突部が前記ロック受け部に係止することにより、前記両ハウジングの離脱が規制される構成としたところに特徴を有する。
【０００７】
請求項２の発明は、請求項１に記載のものにおいて、前記他方のハウジングにはフード部が設けられ、このフード部内に前記一方のハウジングとともに前記ロックアームが進入可能とされ、前記ロック受け部は前記フード部の内側面に臨むとともに、前記強制変位部は前記フード部内に配置されており、前記両ハウジングの嵌合に伴って前記強制変位部と前記係合部とが係合することにより、前記ロック突部の突出端が前記フード部の内側面から離間する構成としたところに特徴を有する。
【０００８】
請求項３の発明は、請求項１または請求項２に記載のものにおいて、前記ロックアームは、脚部とこの脚部に連なって前記両ハウジングの嵌合時における前記一方のハウジングの接近方向とほぼ同じ方向へ延出するアーム部とを備え、このアーム部が前記両ハウジングの嵌合途中で前記脚部を支点として傾動可能とされ、かつ、前記ロックアームには、前記脚部を挟んで前記アーム部と反対側の端部に、解除操作部が形成され、この解除操作部を押圧操作することでロック状態にあるロックアームをロック解除方向へ撓み変形させることが可能とされており、さらに、前記解除操作部を押圧操作しながら前記両ハウジングを嵌合しようとした場合には、前記アーム部の延出端が持ち上がって前記他方のハウジング側に干渉することにより、その嵌合動作が阻止される構成としたところに特徴を有する。
【０００９】
請求項４の発明は、請求項３に記載のものにおいて、前記解除操作部を押圧操作して前記ロックアームを前記ロック突部の突出高さに相当する分だけ変位させれば、前記両ハウジングを互いに引き離すことが可能とされるところに特徴を有する。
【００１０】
請求項５の発明は、請求項３または請求項４に記載のものにおいて、前記一方のハウジングには、前記解除操作部を覆って保護部が架設されており、前記係合部が前記強制変位部と係合したときに、前記解除操作部が前記保護部と係合し、両係合位置を支点として前記ロックアームが反り変形し得る構成としたところに特徴を有する。
【００１１】
請求項６の発明は、請求項１ないし請求項５のいずれかに記載のものにおいて、前記係合部は、前記ロックアームの幅方向両端側に一対張り出し形成されており、前記強制変位部は、前記係合部と対応する位置に一対形成されているところに特徴を有する。
【発明の効果】
【００１２】
＜請求項１の発明＞
両ハウジングを嵌合すると、一方のハウジングに形成されたロックアームが弾性的に傾動するとともに、その傾動しているロックアームの係合部に対して強制変位部が係合し、これによってロックアームがロック突部の突出高さよりも大きな変位量をもってさらに強制的に傾動するから、その後に両ハウジングが正規嵌合されたときには、ロックアームが他方のハウジング側に大きなロック音を伴って当接することになる。その結果、ロックフィーリングの向上を図れるとともに、両ハウジングが半嵌合状態に置かれるのを防止できる。
【００１３】
＜請求項２の発明＞
フード部内に一方のハウジングとともにロックアームを進入させると、ロックアームの係合部と強制変位部とが係合して、ロック突部の突出端がフード部の内側面から離間するため、ロックアームの変位量を大きくとることができて、大きなロック音を発生させることができる。
【００１４】
＜請求項３の発明＞
解除操作部を押圧操作しながら両ハウジングを嵌合しようとすると、アーム部の延出端が持ち上がって他方のハウジング側に干渉し、その後の嵌合動作が阻止されるから、解除操作部を押圧操作したまま両ハウジングを正規嵌合状態に至らしめることがなく、もってロック音が鳴らない事態を回避できる。
【００１５】
＜請求項４の発明＞
両ハウジングを離脱させる際には、解除操作部を押圧操作してロックアームをロック突部の突出高さに相当する分だけ変位させ、その状態から両ハウジングを互いに引き離せばよいから、嵌合させる際に比べてロックアームの変位量を小さくでき、操作力が軽くなる。
【００１６】
＜請求項５の発明＞
両ハウジングの嵌合途中では、係合部が強制変位部と係合するとともに、解除操作部が保護部と係合し、両係合位置を支点としてロックアームが反り変形し得るようになっているから、その後に両ハウジングが正規嵌合されたときには、反り変形によって蓄勢された弾発力によってさらに大きなロック音を発生させることができる。
【００１７】
＜請求項６の発明＞
係合部がロックアームの幅方向両端側に一対張り出し形成されており、強制変位部が係合部と対応する位置に一対形成されているから、両ハウジングの嵌合途中で係合部と強制変位部とがバランスよく係合することになり、ひいては両ハウジングの嵌合動作が円滑となる。
【発明を実施するための最良の形態】
【００１８】
本発明の一実施形態を図１ないし図１５によって説明する。本実施形態に係るコネクタは、互いに嵌合可能な雄側のコネクタＭと雌側のコネクタＦとからなる。なお、以下においては、両コネクタＦ，Ｍの互いの嵌合面側を前方として説明する。
【００１９】
雄側のコネクタＭは、図１１に示すように、合成樹脂製の雄ハウジング１０を備え、さらにこの雄ハウジング１０は、横長ブロック状の雄端子収容部１１と、その前端周縁から一回り大きくなって前方へ突出する略角筒状のフード部１２とからなる。雄端子収容部１１には、図１に示すように、複数のキャビティ１３が前後方向に貫通して形成され、各キャビティ１３は上下二段で幅方向に複数列となって整列配置されている。各キャビティ１３内に後方から電線Ｗに接続された雄端子金具５０が正規挿入されると、この雄端子金具５０のタブ５１がフード部１２の奥面（雄端子収容部１１の前面）から突き出た状態になるとともにキャビティ１３の内壁に形成されたランス１４によって弾性的に係止されるようになっている。また、雄ハウジング１０の下面には機器本体（図示せず）への固定を行うための取付部１５が形成されている。取付部１５は、スライド式のロック構造となっており、機器本体側に弾性係止可能な係止突部１６を有して構成される。
【００２０】
雄端子収容部１１の前後方向略中央部には、いわゆるサイドタイプのリテーナ６０を装着可能なリテーナ装着孔１７が上面から両側面にかけた三面に開口して形成されている。リテーナ６０は、図１２に示すように、キャビティ１３に連通可能な窓孔６１を有する格子状のリテーナ本体部６２と、窓孔６１の孔縁に形成された係止突部６３とを備えている。そして、リテーナ６０は、リテーナ装着孔１７に対して上方から装着されて少し浮き上がった状態で留め置かれる仮係止位置と、そこから下方へ深く差し込まれてリテーナ装着孔１７を閉止する本係止位置との間を移動可能となっている。リテーナ６０が仮係止位置にあるときには、係止突部６３がキャビティ１３から退避して雄端子金具５０の挿抜を許容する一方、リテーナ６０が本係止位置にあるときには、係止突部６３がキャビティ１３内に進入して雄端子金具５０を係止する。したがって、雄端子金具５０は、リテーナ６０とランス１４とによって二重に抜け止めされるようになっている。なお、このリテーナ６０は、雌側のコネクタＦに装着されるリテーナ６０と同一形状かつ同サイズであって、雌雄の両コネクタＦ，Ｍ間での共通使用が可能となっている。
【００２１】
フード部１２の上壁には、その前端寄りの幅方向略中央部に、ロック孔１８（本発明のロック受け部に相当）が貫通して形成されている。ロック孔１８の前壁は、前方へ向かってテーパ状の昇り勾配となる係止面１８Ａとされ、ここに後述するロックアーム３１のロック突部３２が係止するようになっている。
また、フード部１２の上壁の幅方向中央部は、図９に示すように、幅方向両端部から一段落ちた位置にあり、その境界となる段付部分に、フード部１２の内方へ向けて垂下する左右一対のガイド壁１９が設けられている。両ガイド壁１９は、フード部１２の奥行き全長に亘って前後方向に延出する形態とされ、両コネクタＦ，Ｍの嵌合時に、両ガイド壁１９と保護壁３３（後述する）とが摺り合うことで、両コネクタＦ，Ｍの嵌合動作が案内されるようになっている。
【００２２】
そして、両ガイド壁１９の対向面には、ロックアーム３１を強制的に撓み変形させるための左右一対の強制変位部２１が形成されている。両強制変位部２１は、ロック孔１８よりも後方に位置しており、両ガイド壁１９の対向面から互いに向き合うようにして同軸上に突出する形態とされる。詳しくは強制変位部２１は、図１に示すように、側方から見ると前後方向に扁平なリブ状をなし、その前側の下面に、前方へ向かって昇り勾配となるテーパ状の案内面２１Ａを有し、この案内面２１Ａに沿ってロックアーム３１の係合部３４（後述する）が摺動することでロックアーム３１がより深く傾くようになっている。なお、フード部１２の奥面において強制変位部２１の後方に投影される部分は、強制変位部２１を成形するための型抜き孔２２として開口されている。
【００２３】
一方、雌側のコネクタＦは、合成樹脂製の雌ハウジング３０を備え、この雌ハウジング３０が横長ブロック状の雌端子収容部３５を備えている。雌端子収容部３５には、相手側の雄端子金具５０と対応して、複数のキャビティ３６が前後方向に貫通して形成され、各キャビティ３６が上下二段で幅方向に複数列となって整列配置されている。各キャビティ３６内には後方から雌端子金具７０が挿入されるようになっている。キャビティ３６の内壁にはランス３７が突出して形成されており、このうち下段のキャビティ３６に対応するランス３７はその下面が露出した状態で配されている。キャビティ３６内に電線Ｗに接続された雌端子金具７０が進入し、ランス３７を撓ませながら正規挿入位置に達すると、ランス３７が弾性復帰して雌端子金具７０を抜け止め状態で係止するようになっている。雌端子収容部３５の前後方向略中央部には、下方からサイドタイプのリテーナ６０を装着するためのリテーナ装着孔３８が下面から両側面にかけた三面に開口して形成されている。このリテーナ６０の構造及び機能については、差し込み方向が逆向きである点を除いて、雄側のコネクタＭに装着されるリテーナ６０と同一であるため、重複する説明は省略する。
【００２４】
そして、雌端子収容部３５の上面には、ロックアーム３１が前後方向に延出して形成されている。ロックアーム３１は、雌端子収容部３５の上面における後端寄りの幅方向中央部にその根元を接続させた脚部４１と、脚部４１の上端に連なって前方へ向けて概ね水平姿勢をとりつつ雌端子収容部３５の前端位置まで延出する片持ち状のアーム部４２とを備え、アーム部４２が脚部４１を支点として上下方向に傾動可能かつ撓み変形可能となっている。雌端子収容部３５の上面においてロックアーム３１の幅方向両側には、前後方向に延出する左右一対の保護壁３３が立ち上げ形成されている。また、保護壁３３の後端は、図１５に示すように、雌端子収容部３５の上面における幅方向両端から雌端子収容部３５の上方を幅方向に横切るよう膨出形成されたアーチ部３９（本発明の保護部に相当）に連結されている。アーチ部３９は、後述する解除操作部４３が不用意に解除操作されるのを防止する役割を担っている。
【００２５】
ロックアーム３１の上面における前後方向略中央部には、ロック突部３２が突設されている。ロック突部３２の前面は後方へ向かって昇り勾配となったテーパ面３２Ａとされ、その後面は略垂直に切り立つ係止面３２Ｂとされている。テーパ面３２Ａは、両ハウジング１０，３０の嵌合途中において、フード部１２の上壁前端に当接した後、フード部１２の上壁前端においてテーパ状に切り欠かれた誘い込み面１２Ａに沿って摺動し、フード部１２の内側に潜り込むようになっている。
【００２６】
また、ロックアーム３１は、アーム部４２の前半部から幅方向両側に拡幅したあと後方へ向けて延出する左右一対の解除アーム部４４を備えている。両解除アーム部４４は、アーム部４２と隣接して配置され、その前半部ではアーム部４２の前半部と一体化されるが、ロック突部３２の形成位置近傍でアーム部４２と分離され、その後は脚部４１の形成位置よりもさらに後方へ延出する形態とされる。そして、両解除アーム部４４の後端同士は、アーチ部３９の下方に位置する解除操作部４３によって連結されている。解除操作部４３は、雌端子収容部３５の上面における後端縁より僅かに前方に位置し、手指での押し下げ操作が容易となるようにその上面後端部に段差部４３Ａが一段高くして形成されている。両ハウジング１０，３０の嵌合前に、解除操作部４３が不正に押圧操作された場合には、両解除アーム部４４の前端部がアーム部４２の前端部とともに持ち上がり、これらがフード部１２の開口縁に当接することで、雌端子収容部３５がフード部１２内に進入しないようになっている。
【００２７】
ロックアーム３１の下面は、図１に示すように、脚部４１との連繋部位から先端へ向けて緩やかな昇り勾配となっているが、ロック突部３２の前端と対応する位置から雌端子収容部３５の前端にかけてその幅方向略中央部に略矩形状の抉れ部４５が除肉して形成されており、アーム部４２の撓み変形動作が容易となるようにしてある。
また、雌端子収容部３５の上面における前端寄りの位置からは両解除アーム部４４の両側端面と略平行に細長い可撓性帯状体４６が延出して形成されており、この可撓性帯状体４６の後端が両解除アーム部４４の両側端面においてロック突部３２の両側方に形成された連係部４７に一体に連結されている。ロックアーム３１が過度撓みしたときには、図８に示すように、可撓性帯状体４６が雌端子収容部３５と連係部４７との間に弛みなく張り切ることで、アーム部４２が捲れ上がる事態を回避できるようになっている。
【００２８】
そして、両解除アーム部４４の両側端面における前端部には、強制変位部２１と対応する位置に、左右一対の係合部３４が両側方へ張り出し形成されている。両係合部３４は、両解除アーム部４４の前端部（アーム部４２の前端部も同じ）よりは薄肉で前後方向に扁平なリブ状をなし、その上面の後半部が両解除アーム部４４の上面と略面一で連なり、その上面の前半部が前方へ向けて下り勾配となるテーパ状の被案内面３４Ａとして構成される。両ハウジング１０，３０の嵌合時に、係合部３４がフード部１２内に進入したあと強制変位部２１に当接すると、両係合部３４の被案内面３４Ａが強制変位部２１の案内面２１Ａに摺動し、これにより、既に傾いていたロックアーム３１がさらに深い傾斜角をもって傾動するようになっている。
【００２９】
次に、本実施形態の作用効果を説明する。まず、両ハウジング１０，３０の嵌合作業を説明する。雌ハウジング３０のキャビティ３６に対して後方から雌端子金具７０を正規深さで挿入し、雌端子金具７０をランス３７によって弾性的に一次係止する。続いて、あらかじめ仮係止位置に留め置いていたリテーナ６０を本係止位置に移動させ、このリテーナ６０によって雌端子金具７０を二次係止する。これと前後して、雄ハウジング１０のキャビティ１３内に雄端子金具５０を挿入し、上記同様の作業を行う。
【００３０】
次いで、図２に示すように、雌ハウジング３０を雄ハウジング１０のフード部１２内に挿入する。このとき、保護壁３３の内側面とガイド壁１９の外側面とが摺接することで、上下反転等の誤嵌合が防止されるとともに雌ハウジング３０が正規の挿入姿勢に矯正されるようになっている。
なお、作業者が解除操作部４３を押圧しながら両ハウジング１０，３０を嵌合しようとしても、図８に示すように、ロックアーム３１の前端部分が脚部４１を支点として持ち上がり、フード部１２の上壁前端に突き当たるため、その後の嵌合操作が阻止されるようになっている。
【００３１】
雌ハウジング３０の挿入途上では、ロック突部３２のテーパ面３２Ａがフード部１２の上壁前端と当接したあとフード部１２内へ潜り込むことで、ロック突部３２の突出端がフード部１２の内側面に摺動し、それに伴ってロックアーム３１の前端部が脚部４１を支点として下方へ傾倒し始める。すると、解除操作部４３が脚部４１を支点としてシーソー状に持ち上がり、解除操作部４３の上面前端部つまり段差部４３Ａよりも前方領域がアーチ部３９の下面に突き当たる。その状態から雌ハウジング３０を押し込むと、図３に示すように、係合部３４が強制変位部２１と当接して係合部３４の被案内面３４Ａが強制変位部２１の案内面２１Ａに沿って摺動し、ロックアーム３１の前端部がさらに下方へ傾倒される。
【００３２】
さらに雌ハウジング３０を押し込むと、図４に示すように、係合部３４が強制変位部２１の案内面２１Ａに沿って斜め下方へ移動することにより、ロック突部３２の突出端がフード部１２の内側面から離間する。また、このように係合部３４と強制変位部２１とが互いの係合状態を維持するときには、解除操作部４３とアーチ部３９も互いの係合状態を維持している。したがって、ロックアーム３１は、これら前後二箇所の係合位置を支点とし、さらにその中間に位置する脚部４１を支点として僅かに反り変形し、これに伴いロックアーム３１に弾発力が蓄勢されることになる。
【００３３】
その後、係合部３４が強制変位部２１を乗り越えて両者の引っ掛け状態が解除されると、ロックアーム３１が元姿勢に弾性復帰しようとしてその前端部が上方へ引き上げられる。すると、図５に示すように、ロック突部３２が対応するロック孔１８に嵌まり込むとともに、ロックアーム３１の上面がフード部１２の内側面に衝突し、それに伴い「パチン」というロック音を発生させる。このとき、ロックアーム３１の前端部が強制変位部２１と係合部３４との係合によって深く傾倒されていたこと、及び、解除操作部４３とアーチ部３９との係合によってロックアーム３１に弾発力が蓄勢されていたことに起因し、ロックアーム３１は、大きなロック音を伴ってフード部１２の内側面に突き当たることになる。
こうして正規嵌合された両ハウジング１０，３０は、ロック孔１８の係止面１８Ａに対してロック突部３２がその抜け方向で係止されることにより、その離脱を規制された状態にロックされる。
【００３４】
次に、両ハウジング１０，３０の嵌合状態を解除する手順について説明する。嵌合状態を解除するには、まず解除操作部４３を手指で押し下げる。すると、ロックアーム３１の前端部がフード部１２の内側面に当接した状態で支点を構成するため、解除アーム部４４の中間部分がロック突部３２とともに揺動軌跡を描きながら下方へ変位する。さらに解除操作部４３を深く押し下げると、図６に示すように、ロック突部３２の全体がロック孔１８から抜け出て、ロック突部３２の突出端とフード部１２の内側面とがほぼ同じ高さに位置するようになる。その状態で、解除操作部４３を手指で押えたまま、両ハウジング１０，３０を互いに引き離すと、図７に示すように、ロック突部３２の突出端がフード部１２の内側面を摺動した後、フード部１２から抜け出る。すると、ロックアーム３１が弾性復帰して、両ハウジング１０，３０の嵌合状態が解除される。
【００３５】
このように本実施形態によれば、両ハウジング１０，３０の嵌合時に、雌ハウジング３０側のロックアーム３１が弾性的に傾動するとともに、その傾動しているロックアーム３１の係合部３４に対して強制変位部２１が係合し、これによってロックアーム３１がロック突部３２の突出高さよりも大きな変位量をもってさらに強制的に傾動するから、その後に両ハウジング１０，３０が正規嵌合されたときには、ロックアーム３１がフード部１２の内側面に対し大きなロック音を伴って当接することになる。その結果、ロックフィーリングの向上を図れるとともに、両ハウジング１０，３０が半嵌合状態に置かれるのを防止できる。
【００３６】
また、解除操作部４３を押圧操作しながら両ハウジング１０，３０を嵌合しようとすると、アーム部４２の延出端が持ち上がってフード部１２の開口縁に当接し、その後の嵌合動作が阻止されるから、解除操作部４３を押圧操作したまま両ハウジング１０，３０を正規嵌合状態に至らしめることがなく、もってロック音が鳴らない事態を回避できる。
【００３７】
さらに、両ハウジング１０，３０を離脱させる際には、解除操作部４３を押圧操作してロックアーム３１をロック突部３２の突出高さに相当する分だけ変位させ、その状態から両ハウジング１０，３０を互いに引き離せばよいから、嵌合時に比べてロックアーム３１の変位量を小さくでき、もって嵌合解除時における操作力を軽減することができる。
【００３８】
さらにまた、両ハウジング１０，３０の嵌合途中では、係合部３４が強制変位部２１と係合するとともに、解除操作部４３がアーチ部３９と係合し、これら前後二箇所の係合位置を支点としてロックアーム３１が反り変形し得るようになっているから、その後に両ハウジング１０，３０が正規嵌合されたときには、反り変形によって蓄勢された弾発力によって一層大きなロック音を発生させることが可能となる。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、ロックアームの前端部がフード部の内側面に進入したあと強制変位部と係合してさらに深く傾動する構成であったが、本発明においては、ロックアームの前端部が相手側ハウジングの上面に被さったあと強制変位部によって相手側ハウジングの上面から離間するように持ち上げられる態様であってもよい。
（２）上記実施形態では、ロックアームが雌ハウジング側、ロック孔及び強制変位部が雄ハウジング側に形成されていたが、本発明においては、ロックアームが雄ハウジング側、ロック孔及び強制変位部が雌ハウジング側に形成されていても構わない。
（３）上記実施形態では、ロックアームがハウジングの後端部から前方へ向かって延出する形態となっていたが、本発明においては、ロックアームがハウジングの前端部から後方へ向かって延出する形態となっていてもよい。
【図面の簡単な説明】
【００４０】
【図１】本実施形態に係るコネクタの嵌合前の断面図
【図２】嵌合開始時の断面図
【図３】嵌合が進行して係合部と強制変位部とが係合したときの断面図
【図４】係合部と強制変位部とが摺接してロックアームが深く傾動したときの断面図
【図５】正規嵌合状態に至ったときの断面図
【図６】離脱時に解除操作部を押圧したときの断面図
【図７】離脱が完了する直前の断面図
【図８】ロックアームの前端部が持ち上がったときの断面図
【図９】雄側のコネクタの正面図
【図１０】雄側のコネクタの背面図
【図１１】雄側のコネクタの側面図
【図１２】リテーナの正面図
【図１３】雌側のコネクタの正面図
【図１４】雌側のコネクタの背面図
【図１５】雌側のコネクタの平面図
【符号の説明】
【００４１】
Ｆ…雌側のコネクタ
Ｍ…雄側のコネクタ
１０…雄ハウジング
１２…フード部
１８…ロック孔（ロック受け部）
２１…強制変位部
３０…雌ハウジング
３１…ロックアーム
３２…ロック突部
３４…係合部
３９…アーチ部（保護部）
４１…脚部
４２…アーム部
４３…解除操作部
５０…雄端子金具
５１…タブ
６０…リテーナ
７０…雌端子金具
【図１】
2006269198.tif 000003
【図２】
2006269198.tif 000004
【図３】
2006269198.tif 000005
【図４】
2006269198.tif 000006
【図５】
2006269198.tif 000007
【図６】
2006269198.tif 000008
【図７】
2006269198.tif 000009
【図８】
2006269198.tif 000010
【図９】
2006269198.tif 000011
【図１０】
2006269198.tif 000012
【図１１】
2006269198.tif 000013
【図１２】
2006269198.tif 000014
【図１３】
2006269198.tif 000015
【図１４】
2006269198.tif 000016
【図１５】
2006269198.tif 000017